(57)【要約】【課題】複数のコンテンツに分割されたものを利便性良好に再生する。【解決手段】携帯電話機１のＣＰＵ１７は、コンテンツの名称情報を予め設定されたルールに則って並び換え、その結果をリストとしてＲＡＭ１８のリスト記憶部１８２に格納するソート実行部１７１と、再生中のページが最終ページであるか否かを判定する第１位置判定部１７２と、受け付けられた操作入力が次ページ再生指示であるか否かを判定する第１操作判定部１７３と、最終ページであると判定され且つ次ページ再生指示であると判定された場合に、リストにおいて再生中のコンテンツの１つだけ後の順序のコンテンツを再生対象として選定する第１選定部１７４と、選定されたコンテンツをコンテンツ記憶部１８１から読み出して再生する再生実行部１７８と、を備えている。【選択図】図３
2008257609.tif 000002
【特許請求の範囲】
【請求項１】
文字情報及び画像情報の少なくとも一方を含み複数のページからなる複数のコンテンツの中から選択された１のコンテンツを再生し、外部から視認可能にモニタに表示する電子書籍再生装置であって、
前記複数のコンテンツを予め格納するコンテンツ記憶手段と、
前記複数のコンテンツにそれぞれ付与された名称情報を、順序を示す順序識別情報と対応付けたリストとして格納するリスト記憶手段と、
前記複数のコンテンツに付与された名称情報を予め設定されたルールに則って並び換え、並び換えられた結果をリストとして前記リスト記憶手段に格納するソート実行手段と、
再生中のページが再生中のコンテンツの最終ページであるか否かを判定する第１位置判定手段と、
外部からの操作入力を受け付けて、受け付けられた操作入力が次のページを再生する旨の操作入力である次ページ再生指示であるか否かを判定する第１操作判定手段と、
前記第１位置判定手段によって最終ページであると判定され、且つ、前記第１操作判定手段によって次ページ再生指示であると判定された場合に、前記リスト記憶手段に格納されたリストにおいて再生中のコンテンツに対応する名称情報の、１つだけ後の順序の名称情報に対応するコンテンツを、再生対象のコンテンツとして選定する第１選定手段と、
前記第１選定手段によって選定されたコンテンツを前記コンテンツ記憶手段から読み出して再生する再生実行手段と、
を備えることを特徴とする電子書籍再生装置。
【請求項２】
前記ソート実行手段は、名称情報の末尾に上、中、下を含むものは、この順に並び換え、名称情報の末尾に数字を含むものは、数字の小さい順に並び換えることを特徴とする請求項１に記載の電子書籍再生装置。
【請求項３】
前記再生実行手段は、前記第１選定手段によって選定されたコンテンツの先頭ページをモニタに表示することを特徴とする請求項１又は請求項２に記載の電子書籍再生装置。
【請求項４】
前記第１位置判定手段は、再生中の行が再生中のコンテンツの最終行であるか否かを判定し、
前記第１操作判定手段は、外部からの操作入力を受け付けて、受け付けられた操作入力が次の行を再生する旨の操作入力である次行再生指示であるか否かを判定し、
前記第１選定手段は、前記第１位置判定手段によって最終行であると判定され、且つ、前記第１操作判定手段によって次ページ再生指示又は次行再生指示であると判定された場合に、前記リスト記憶手段に格納されたリストにおいて再生中のコンテンツに対応する名称情報の、１つだけ後の順序の名称情報に対応するコンテンツを、再生対象のコンテンツとして選定することを特徴とする請求項１〜請求項３のいずれかに記載の電子書籍再生装置。
【請求項５】
再生中のページが再生中のコンテンツの先頭ページであるか否かを判定する第２位置判定手段と、
外部からの操作入力を受け付けて、受け付けられた操作入力が前のページを再生する旨の操作入力である前ページ再生指示であるか否かを判定する第２操作判定手段と、
前記第２位置判定手段によって先頭ページであると判定され、且つ、前記第２操作判定手段によって前ページ再生指示であると判定された場合に、前記リスト記憶手段に格納されたリストにおいて再生中のコンテンツに対応する名称情報の、１つだけ前の順序の名称情報に対応するコンテンツを、再生対象のコンテンツとして選定する第２選定手段と、
を備え、
前記再生実行手段は、前記第２選定手段によって選定されたコンテンツを前記コンテンツ記憶手段から読み出して再生することを特徴とする請求項１〜請求項４のいずれかに記載の電子書籍再生装置。
【請求項６】
前記再生実行手段は、前記第２選定手段によって選定されたコンテンツの最終ページをモニタに表示することを特徴とする請求項５に記載の電子書籍再生装置。
【請求項７】
前記第２位置判定手段は、再生中の行が再生中のコンテンツの先頭行であるか否かを判定し、
前記第２操作判定手段は、外部からの操作入力を受け付けて、受け付けられた操作入力が前の行を再生する旨の操作入力である前行再生指示であるか否かを判定し、
前記第２選定手段は、前記第２位置判定手段によって先頭行であると判定され、且つ、前記第２操作判定手段によって前ページ再生指示又は前行再生指示であると判定された場合に、前記リスト記憶手段に格納されたリストにおいて再生中のコンテンツに対応する名称情報の、１つだけ前の順序の名称情報に対応するコンテンツを、再生対象のコンテンツとして選定することを特徴とする請求項５又は請求項６に記載の電子書籍再生装置。
【発明の詳細な説明】
【技術分野】
【０００１】
本発明は、文字情報及び画像情報の少なくとも一方を含み複数のページからなる複数のコンテンツの中から選択された１のコンテンツを再生し、外部から視認可能にモニタに表示する電子書籍再生装置に関するものである。
【背景技術】
【０００２】
近年、文字情報及び画像情報の少なくとも一方を含み複数のページからなる複数のコンテンツの中から選択された１のコンテンツを再生し、外部から視認可能にモニタに表示する電子書籍専用機、携帯電話機、ＰＤＡ（Ｐｅｒｓｏｎａｌ  Ｄｉｇｉｔａｌ  Ａｓｓｉｓｔａｎｔｓ）等様々な形態の電子書籍再生装置が普及している。
【０００３】
これに伴い、電子書籍再生装置における操作性等の利便性を向上するために、種々の装置が提案されている。例えば、電子書籍データの所望ページをデコードする電子書籍データデコード部と、デコードした所望ページの既読箇所を判定する既読情報管理部と、既読と判定された箇所の表示形態を加工する既読表示処理部と、を備える電子書籍装置が開示されている（特許文献１参照）。この電子書籍装置によれば、電子書籍データに含まれる大量の画像データの内容を一覧性と認識性の調和を図って表示することができる。
【特許文献１】特開２００６−３３１０９４号公報
【発明の開示】
【発明が解決しようとする課題】
【０００４】
しかしながら、上記電子書籍装置等の従来の電子書籍再生装置では、１話分（又は１冊分）の内容が複数のコンテンツ（例えば、上下２つ又は上中下３つのコンテンツ）に分割されて配信される場合には、１話分の内容が格納された複数のコンテンツを１つ１つ順番に探して開く作業が必要となるため、ユーザにとって操作性が充分ではない場合があった。特に、小説等の文字主体のものと異なり、コミック（漫画）を電子書籍化したものは画像主体で構成されているため、容量が大きくなるので、１のコンテンツに１話分の内容を納めることが難しくなってきており、上記課題が更に顕在化し易い。
【０００５】
本発明は、上記課題に鑑みてなされたものであって、複数のコンテンツに分割されたものを利便性良好に再生することの可能な電子書籍再生装置を提供することを目的としている。
【課題を解決するための手段】
【０００６】
上記目的を達成するために請求項１に記載の電子書籍再生装置は、文字情報及び画像情報の少なくとも一方を含み複数のページからなる複数のコンテンツの中から選択された１のコンテンツを再生し、外部から視認可能にモニタに表示する電子書籍再生装置であって、前記複数のコンテンツを予め格納するコンテンツ記憶手段と、前記複数のコンテンツにそれぞれ付与された名称情報を、順序を示す順序識別情報と対応付けたリストとして格納するリスト記憶手段と、前記複数のコンテンツに付与された名称情報を予め設定されたルールに則って並び換え、並び換えられた結果をリストとして前記リスト記憶手段に格納するソート実行手段と、再生中のページが再生中のコンテンツの最終ページであるか否かを判定する第１位置判定手段と、外部からの操作入力を受け付けて、受け付けられた操作入力が次のページを再生する旨の操作入力である次ページ再生指示であるか否かを判定する第１操作判定手段と、前記第１位置判定手段によって最終ページであると判定され、且つ、前記第１操作判定手段によって次ページ再生指示であると判定された場合に、前記リスト記憶手段に格納されたリストにおいて再生中のコンテンツに対応する名称情報の、１つだけ後の順序の名称情報に対応するコンテンツを、再生対象のコンテンツとして選定する第１選定手段と、前記第１選定手段によって選定されたコンテンツを前記コンテンツ記憶手段から読み出して再生する再生実行手段と、を備えることを特徴としている。
【０００７】
請求項２に記載の電子書籍再生装置は、請求項１に記載の電子書籍再生装置であって、前記ソート実行手段が、名称情報の末尾に上、中、下を含むものは、この順に並び換え、名称情報の末尾に数字を含むものは、数字の小さい順に並び換えることを特徴としている。
【０００８】
請求項３に記載の電子書籍再生装置は、請求項１又は請求項２に記載の電子書籍再生装置であって、前記再生実行手段が、前記第１選定手段によって選定されたコンテンツの先頭ページをモニタに表示することを特徴としている。
【０００９】
請求項４に記載の電子書籍再生装置は、請求項１〜請求項３のいずれかに記載の電子書籍再生装置であって、前記第１位置判定手段が、再生中の行が再生中のコンテンツの最終行であるか否かを判定し、前記第１操作判定手段が、外部からの操作入力を受け付けて、受け付けられた操作入力が次の行を再生する旨の操作入力である次行再生指示であるか否かを判定し、前記第１選定手段が、前記第１位置判定手段によって最終行であると判定され、且つ、前記第１操作判定手段によって次ページ再生指示又は次行再生指示であると判定された場合に、前記リスト記憶手段に格納されたリストにおいて再生中のコンテンツに対応する名称情報の、１つだけ後の順序の名称情報に対応するコンテンツを、再生対象のコンテンツとして選定することを特徴としている。
【００１０】
請求項５に記載の電子書籍再生装置は、請求項１〜請求項４のいずれかに記載の電子書籍再生装置であって、再生中のページが再生中のコンテンツの先頭ページであるか否かを判定する第２位置判定手段と、外部からの操作入力を受け付けて、受け付けられた操作入力が前のページを再生する旨の操作入力である前ページ再生指示であるか否かを判定する第２操作判定手段と、前記第２位置判定手段によって先頭ページであると判定され、且つ、前記第２操作判定手段によって前ページ再生指示であると判定された場合に、前記リスト記憶手段に格納されたリストにおいて再生中のコンテンツに対応する名称情報の、１つだけ前の順序の名称情報に対応するコンテンツを、再生対象のコンテンツとして選定する第２選定手段と、を備え、前記再生実行手段が、前記第２選定手段によって選定されたコンテンツを前記コンテンツ記憶手段から読み出して再生することを特徴としている。
【００１１】
請求項６に記載の電子書籍再生装置は、請求項５に記載の電子書籍再生装置であって、前記再生実行手段が、前記第２選定手段によって選定されたコンテンツの最終ページをモニタに表示することを特徴としている。
【００１２】
請求項７に記載の電子書籍再生装置は、請求項５又は請求項６に記載の電子書籍再生装置であって、前記第２位置判定手段が、再生中の行が再生中のコンテンツの先頭行であるか否かを判定し、前記第２操作判定手段が、外部からの操作入力を受け付けて、受け付けられた操作入力が前の行を再生する旨の操作入力である前行再生指示であるか否かを判定し、前記第２選定手段が、前記第２位置判定手段によって先頭行であると判定され、且つ、前記第２操作判定手段によって前ページ再生指示又は前行再生指示であると判定された場合に、前記リスト記憶手段に格納されたリストにおいて再生中のコンテンツに対応する名称情報の、１つだけ前の順序の名称情報に対応するコンテンツを、再生対象のコンテンツとして選定することを特徴としている。
【発明の効果】
【００１３】
請求項１に記載の電子書籍再生装置によれば、複数のコンテンツが予めコンテンツ記憶手段に格納されており、複数のコンテンツにそれぞれ付与された名称情報が、順序を示す順序識別情報と対応付けたリストとしてリスト記憶手段に格納される。そして、複数のコンテンツに付与された名称情報が予め設定されたルールに則って並び換えられ、並び換えられた結果がリストとしてリスト記憶手段に格納される。また、再生中のページが再生中のコンテンツの最終ページであるか否かが判定され、外部からの操作入力が受け付けられて、受け付けられた操作入力が次のページを再生する旨の操作入力である次ページ再生指示であるか否かが判定される。そして、最終ページであると判定され、且つ、次ページ再生指示であると判定された場合に、リスト記憶手段に格納されたリストにおいて再生中のコンテンツに対応する名称情報の、１つだけ後の順序の名称情報に対応するコンテンツが、再生対象のコンテンツとして選定され、選定されたコンテンツがコンテンツ記憶手段から読み出されて再生されるため、複数のコンテンツに分割されたものを利便性良好に再生することができる。
【００１４】
すなわち、複数のコンテンツに分割されたものは、例えば、コンテンツに付与された名称情報の末尾に上、中、下、又は、数字が付加されているため、この順に並び換えてリスト記憶手段に格納することによって、再生中のページが再生中のコンテンツの最終ページであると判定され、且つ、受け付けられた操作入力が次ページ再生指示であると判定された場合に、リスト記憶手段に格納されたリストにおいて再生中のコンテンツに対応する名称情報の、１つだけ後の順序の名称情報に対応するコンテンツは、ユーザが次に再生を所望するコンテンツに相当するのである。従って、このコンテンツが再生対象のコンテンツとして選定され、選定されたコンテンツがコンテンツ記憶手段から読み出されて再生されるため、複数のコンテンツに分割されたものを利便性良好に再生することができるのである。
【００１５】
請求項２に記載の電子書籍再生装置によれば、名称情報の末尾に上、中、下を含むものが、この順に並び換えられ、名称情報の末尾に数字を含むものが、数字の小さい順に並び換えられるため、複数のコンテンツに分割されたものを更に利便性良好に再生することができる。
【００１６】
すなわち、複数のコンテンツに分割されたものは、コンテンツに付与された名称情報の末尾に上、中、下、又は、数字が付加されているため、この順に並び換えてリスト記憶手段に格納することによって、再生中のページが再生中のコンテンツの最終ページであると判定され、且つ、受け付けられた操作入力が次ページ再生指示であると判定された場合に、リスト記憶手段に格納されたリストにおいて再生中のコンテンツに対応する名称情報の、１つだけ後の順序の名称情報に対応するコンテンツは、ユーザが次に再生を所望するコンテンツに相当するのである。
【００１７】
請求項３に記載の電子書籍再生装置によれば、再生中のページが再生中のコンテンツの最終ページであると判定され、且つ、受け付けられた操作入力が次ページ再生指示であると判定された場合に、選定されたコンテンツの先頭ページがモニタに表示されるため、複数のコンテンツに分割されたものを更に利便性良好に再生することができる。
【００１８】
すなわち、再生中のページが再生中のコンテンツの最終ページであると判定され、且つ、受け付けられた操作入力が次ページ再生指示であると判定された場合に、ユーザが次に再生を所望するコンテンツの先頭ページがモニタに表示されるため、複数のコンテンツに分割されたものを更に利便性良好に再生することができるのである。
【００１９】
請求項４に記載の電子書籍再生装置によれば、再生中の行が再生中のコンテンツの最終行であるか否かが判定され、外部からの操作入力が受け付けられて、受け付けられた操作入力が次の行を再生する旨の操作入力である次行再生指示であるか否かが判定される。そして、最終行であると判定され、且つ、次ページ再生指示又は次行再生指示であると判定された場合に、リスト記憶手段に格納されたリストにおいて再生中のコンテンツに対応する名称情報の、１つだけ後の順序の名称情報に対応するコンテンツが、再生対象のコンテンツとして選定され、再生されるため、複数のコンテンツに分割されたものを更に利便性良好に再生することができる。
【００２０】
すなわち、複数のコンテンツに分割されたものは、例えば、コンテンツに付与された名称情報の末尾に上、中、下、又は、数字が付加されているため、この順に並び換えてリスト記憶手段に格納することによって、再生中の行が再生中のコンテンツの最終行であると判定され、且つ、受け付けられた操作入力が次のページを再生する旨の操作入力である次ページ再生指示又は次の行を再生する旨の操作入力である次行再生指示であると判定された場合に、リスト記憶手段に格納されたリストにおいて再生中のコンテンツに対応する名称情報の、１つだけ後の順序の名称情報に対応するコンテンツは、ユーザが次に再生を所望するコンテンツに相当するのである。従って、このコンテンツが再生対象のコンテンツとして選定され、選定されたコンテンツがコンテンツ記憶手段から読み出されて再生されるため、複数のコンテンツに分割されたものを更に利便性良好に再生することができるのである。
【００２１】
請求項５に記載の電子書籍再生装置によれば、再生中のページが再生中のコンテンツの先頭ページであるか否かが判定され、外部からの操作入力が受け付けられて、受け付けられた操作入力が前のページを再生する旨の操作入力である前ページ再生指示であるか否かが判定される。そして、先頭ページであると判定され、且つ、前ページ再生指示であると判定された場合に、リスト記憶手段に格納されたリストにおいて再生中のコンテンツに対応する名称情報の、１つだけ前の順序の名称情報に対応するコンテンツが、再生対象のコンテンツとして選定され、選定されたコンテンツがコンテンツ記憶手段から読み出されて再生されるため、複数のコンテンツに分割されたものを更に利便性良好に再生することができる。
【００２２】
すなわち、複数のコンテンツに分割されたものは、例えば、コンテンツに付与された名称情報の末尾に上、中、下、又は、数字が付加されているため、この順に並び換えてリスト記憶手段に格納することによって、再生中のページが再生中のコンテンツの先頭ページであると判定され、且つ、受け付けられた操作入力が前ページ再生指示であると判定された場合に、リスト記憶手段に格納されたリストにおいて再生中のコンテンツに対応する名称情報の、１つだけ前の順序の名称情報に対応するコンテンツは、ユーザが次に再生を所望するコンテンツに相当するのである。従って、このコンテンツが再生対象のコンテンツとして選定され、選定されたコンテンツがコンテンツ記憶手段から読み出されて再生されるため、複数のコンテンツに分割されたものを更に利便性良好に再生することができるのである。
【００２３】
請求項６に記載の電子書籍再生装置によれば、再生中のページが再生中のコンテンツの先頭ページであると判定され、且つ、受け付けられた操作入力が前ページ再生指示であると判定された場合に、選定されたコンテンツの最終ページがモニタに表示されるため、複数のコンテンツに分割されたものを更に利便性良好に再生することができる。
【００２４】
すなわち、再生中のページが再生中のコンテンツの先頭ページであると判定され、且つ、受け付けられた操作入力が前ページ再生指示であると判定された場合に、ユーザが次に再生を所望するコンテンツの最終ページがモニタに表示されるため、複数のコンテンツに分割されたものを更に利便性良好に再生することができるのである。
【００２５】
請求項７に記載の電子書籍再生装置によれば、再生中の行が再生中のコンテンツの先頭行であるか否かが判定され、外部からの操作入力が受け付けられて、受け付けられた操作入力が前の行を再生する旨の操作入力である前行再生指示であるか否かが判定される。そして、先頭行であると判定され、且つ、前ページ再生指示又は前行再生指示であると判定された場合に、リスト記憶手段に格納されたリストにおいて再生中のコンテンツに対応する名称情報の、１つだけ前の順序の名称情報に対応するコンテンツが、再生対象のコンテンツとして選定され、再生されるため、複数のコンテンツに分割されたものを更に利便性良好に再生することができる。
【００２６】
すなわち、複数のコンテンツに分割されたものは、例えば、コンテンツに付与された名称情報の末尾に上、中、下、又は、数字が付加されているため、この順に並び換えてリスト記憶手段に格納することによって、再生中の行が再生中のコンテンツの先頭行であると判定され、且つ、受け付けられた操作入力が前のページを再生する旨の操作入力である前ページ再生指示又は前の行を再生する旨の操作入力である前行再生指示であると判定された場合に、リスト記憶手段に格納されたリストにおいて再生中のコンテンツに対応する名称情報の、１つだけ前の順序の名称情報に対応するコンテンツは、ユーザが次に再生を所望するコンテンツに相当するのである。従って、このコンテンツが再生対象のコンテンツとして選定され、選定されたコンテンツがコンテンツ記憶手段から読み出されて再生されるため、複数のコンテンツに分割されたものを更に利便性良好に再生することができるのである。
【発明を実施するための最良の形態】
【００２７】
以下、本発明に係る電子書籍再生装置の一例について図面を参照して説明する。図１は、本発明に係る携帯電話機の外観の一例を示す外観図である。ここでは、電子書籍再生装置が、携帯電話機である場合について説明するが、電子書籍再生装置は、文字情報及び画像情報の少なくとも一方を含み複数のページからなる複数のコンテンツの中から選択された１のコンテンツを再生し、外部から視認可能にモニタに表示する装置であればよく、例えば、ノート型パーソナルコンピュータ、ＰＤＡ等である形態でもよい。
【００２８】
図１に示すように、携帯電話機１は、ディスプレイ１１、入力部１２及びアンテナ１３を備えている。ディスプレイ１１（モニタに相当する）は、ＬＣＤ（Ｌｉｑｕｉｄ  Ｃｒｙｓｔａｌ  Ｄｉｓｐｌａｙ）等からなり、操作情報、ガイダンス情報、設定情報等の種々の情報を外部から視認可能に表示するものである。
【００２９】
入力部１２（再生実行手段の一部に相当する）は、複数のキーを介して種々の操作入力を受け付けるものであって、次ページキー１２１、前ページキー１２２、方向指示キー１２３等を備えている。次ページキー１２１（第１操作判定手段の一部に相当する）は、ディスプレイ１１に表示されているページの次ページを表示する場合に押下されるキーである。前ページキー１２２（第２操作判定手段の一部に相当する）は、ディスプレイ１１に表示されているページの前ページを表示する場合に押下されるキーである。
【００３０】
方向指示キー１２３（第１操作判定手段の一部、第２操作判定手段の一部に相当する）は、上下左右の方向を指示する場合に押下されるキーであって、ここでは、上方向指示キーは、ディスプレイ１１に表示されている行の前の行を表示する場合に押下されるキーであって、下方向指示キーは、ディスプレイ１１に表示されている行の次の行を表示する場合に押下されるキーである。
【００３１】
アンテナ１３は、他の携帯電話機（又は固定電話）等から発せられた音声、又は、文字情報等の送信信号を受信すると共に、インターネット等を介してサーバ装置等と通信可能に接続され、サーバ装置等からコンテンツデータを取得するものである。
【００３２】
図２は、携帯電話機１の電気的構成の一例を示す構成図である。携帯電話機１は、図１に示すディスプレイ１１、入力部１２、及び、アンテナ１３に加えて、電話通信部１３１、スピーカ１４、マイクロフォン１５、入出力切換回路１６、ＣＰＵ１７、ＲＡＭ１８、及び、ＲＯＭ１９を備えている。
【００３３】
電話通信部１３１は、アンテナ１３を介して、他の携帯電話機（又は固定電話）等から発せられた音声、又は、文字情報等の信号を受信するものである。スピーカ１４は、種々の音声を出力するものであって、通話機能においては、携帯電話機１と中継局を介して通信可能に接続された他の携帯電話機（又は固定電話）等のユーザの発する音声等を出力するものである。マイクロフォン１５は、外部からの音声を受け付けるものであって、通話機能においては、ユーザの声等を受け付けるものである。
【００３４】
入出力切換回路１６は、スピーカ１４及びマイクロフォン１５に対して、時分割的に、マイクロフォン１５からの入力信号を受け付けてＣＰＵ１７へ伝送し、ＣＰＵ１７からの指示に応じてスピーカ１４に対して出力信号を出力するものである。
【００３５】
ＣＰＵ（Ｃｅｎｔｒａｌ  Ｐｒｏｃｅｓｓｉｎｇ  Ｕｎｉｔ）１７は、携帯電話機１全体の動作を制御するものである。ＲＡＭ（Ｒａｎｄｏｍ  Ａｃｃｅｓｓ  Ｍｅｍｏｒｙ）１８は、コンテンツデータ等の種々のデータを格納するものである。ＲＯＭ（Ｒｅａｄ  Ｏｎｌｙ  Ｍｅｍｏｒｙ）１９は、ＣＰＵ１７を動作させる制御プログラム等を格納するものである。
【００３６】
図３は、携帯電話機１における主要部（ＣＰＵ１７等）の機能構成の一例を示す構成図である。ＣＰＵ１７は、機能的に、ソート実行部１７１、第１位置判定部１７２、第１操作判定部１７３、第１選定部１７４、第２位置判定部１７５、第２操作判定部１７６、第２選定部１７７、及び、再生実行部１７８を備えている。ＲＡＭ１８は、機能的に、コンテンツ記憶部１８１、及び、リスト記憶部１８２を備えている。
【００３７】
ここでは、ＣＰＵ１７が、図２に示すＲＯＭ１９等に予め格納された制御プログラムを読み出して実行することにより、ソート実行部１７１、第１位置判定部１７２、第１操作判定部１７３、第１選定部１７４、第２位置判定部１７５、第２操作判定部１７６、第２選定部１７７、再生実行部１７８等の機能部として機能すると共に、ＲＡＭ１８を、コンテンツ記憶部１８１、リスト記憶部１８２等の機能部として機能させるものである。
【００３８】
また、図２に示すＲＡＭ１８、ＲＯＭ１９等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３９】
コンテンツ記憶部１８１（コンテンツ記憶手段に相当する）は、文字情報及び画像情報の少なくとも一方を含み複数のページからなる複数のコンテンツを予め格納するものである。ここでは、コンテンツ記憶部１８１に格納されるコンテンツデータは、アンテナ１３及びインターネット等を介して、サーバ装置等から予め取得されたものである。
【００４０】
リスト記憶部１８２（リスト記憶手段に相当する）は、複数のコンテンツにそれぞれ付与された名称情報を、順序を示す順序識別情報と対応付けたリストとして格納するものである。なお、リスト記憶部１８２に格納されるリストは、ソート実行部１７１によって生成されるものである。
【００４１】
ソート実行部１７１（ソート実行手段に相当する）は、コンテンツ記憶部１８１に格納された複数のコンテンツに付与された名称情報を予め設定されたルールに則って並び換え、並び換えられた結果をリストとしてリスト記憶部１８２に格納するものである。
【００４２】
具体的には、ソート実行部１７１は、名称情報の末尾に上、中、下を含むものは、この順に（＝上、中、下の順に）並び換え、名称情報の末尾に数字を含むものは、数字の小さい順に（＝１、２、３、・・・の順に）並び換え、並び換えられた結果をリストとして（＝コンテンツに付与された名称情報を、順序を示す順序識別情報と対応付けて）リスト記憶部１８２に格納するものである。
【００４３】
第１位置判定部１７２（第１位置判定手段に相当する）は、再生中のページが再生中のコンテンツの最終ページであるか否かを判定すると共に、再生中の行が再生中のコンテンツの最終行であるか否かを判定するものである。
【００４４】
第１操作判定部１７３（第１操作判定手段の一部に相当する）は、入力部１２を介して、ユーザからの操作入力を受け付けて、受け付けられた操作入力が次のページを再生する旨の操作入力である次ページ再生指示（ここでは、図１に示す次ページキー１２１の押下に対応する操作入力）であるか否かを判定するものである。
【００４５】
また、第１操作判定部１７３は、入力部１２を介して、ユーザからの操作入力を受け付けて、受け付けられた操作入力が次の行を再生する旨の操作入力である次行再生指示（ここでは、図１に示す方向指示キー１２３の下方向指示キーの押下に対応する操作入力）であるか否かを判定するものである。
【００４６】
第１選定部１７４（第１選定手段に相当する）は、第１位置判定部１７２によって最終ページであると判定され、且つ、第１操作判定部１７３によって次ページ再生指示であると判定された場合に、リスト記憶部１８２に格納されたリストにおいて再生中のコンテンツに対応する名称情報の、１つだけ後の順序の名称情報に対応するコンテンツを、再生対象のコンテンツとして選定するものである。
【００４７】
また、第１選定部１７４は、第１位置判定部１７２によって最終行であると判定され、且つ、第１操作判定部１７３によって次ページ再生指示又は次行再生指示であると判定された場合に、リスト記憶部１８２に格納されたリストにおいて再生中のコンテンツに対応する名称情報の、１つだけ後の順序の名称情報に対応するコンテンツを、再生対象のコンテンツとして選定するものである。
【００４８】
第２位置判定部１７５（第２位置判定手段に相当する）は、再生中のページが再生中のコンテンツの先頭ページであるか否かを判定すると共に、再生中の行が再生中のコンテンツの先頭行であるか否かを判定するものである。
【００４９】
第２操作判定部１７６（第２操作判定手段の一部に相当する）は、入力部１２を介して、ユーザからの操作入力を受け付けて、受け付けられた操作入力が前のページを再生する旨の操作入力である前ページ再生指示（ここでは、図１に示す前ページキー１２２の押下に対応する操作入力）であるか否かを判定するものである。
【００５０】
また、第２操作判定部１７６は、入力部１２を介して、ユーザからの操作入力を受け付けて、受け付けられた操作入力が前の行を再生する旨の操作入力である前行再生指示（ここでは、図１に示す方向指示キー１２３の上方向指示キーの押下に対応する操作入力）であるか否かを判定するものである。
【００５１】
第２選定部１７７（第２選定手段に相当する）は、第２位置判定部１７５によって先頭ページであると判定され、且つ、第２操作判定部１７６によって前ページ再生指示であると判定された場合に、リスト記憶部１８２に格納されたリストにおいて再生中のコンテンツに対応する名称情報の、１つだけ前の順序の名称情報に対応するコンテンツを、再生対象のコンテンツとして選定するものである。
【００５２】
また、第２選定部１７７は、第２位置判定部１７５によって先頭行であると判定され、且つ、第２操作判定部１７６によって前ページ再生指示又は前行再生指示であると判定された場合に、リスト記憶部１８２に格納されたリストにおいて再生中のコンテンツに対応する名称情報の、１つだけ前の順序の名称情報に対応するコンテンツを、再生対象のコンテンツとして選定するものである。
【００５３】
再生実行部１７８（再生実行手段の一部に相当する）は、入力部１２を介して、ユーザからの操作入力を受け付けて、受け付けられた操作入力に基づいて、再生するコンテンツを選定し、選定されたコンテンツをコンテンツ記憶部１８１から読み出して再生し、ディスプレイ１１へ出力するものである。
【００５４】
また、再生実行部１７８は、第１選定部１７４又は第２１選定部１７７によって選定されたコンテンツをコンテンツ記憶部１８１から読み出して再生し、ディスプレイ１１へ出力するものである。更に、再生実行部１７８は、第１選定部１７４によって選定されたコンテンツの先頭ページをディスプレイ１１に表示すると共に、第２選定部１７７によって選定されたコンテンツの最終ページをディスプレイ１１に表示するものである。
【００５５】
図４は、携帯電話機１の処理の概要を示す動作説明図である。まず、ソート実行部１７１によって、コンテンツ記憶部１８１に格納された複数のコンテンツに付与された名称情報が予め設定されたルールに則って並び換えられ、並び換えられた結果がリストとしてリスト記憶部１８２に格納される。例えば、名称情報が「○○○第２話  上」、「○○○第２話  中」、「○○○第２話  下」は、名称情報の末尾に上、中、下を含むため、この順に（＝上、中、下の順に）並び換えられる。
【００５６】
そして、再生実行部１７８によってコンテンツ記憶部１８１に格納された複数のコンテンツの中から１のコンテンツ（ここでは、名称情報が「○○○第２話  中」であるコンテンツ）が選定され、コンテンツ記憶部１８１から読み出されて再生され、ディスプレイ１１に表示される。
【００５７】
次に、名称情報が「○○○第２話  中」であるコンテンツを再生中に、第１位置判定部１７２によって最終ページであると判定され、且つ、第１操作判定部１７３によって次ページ再生指示であると判定された場合には、第１選定部１７４によって、リスト記憶部１８２に格納されたリストにおいて再生中のコンテンツ（ここでは、名称情報が「○○○第２話  中」であるコンテンツ）に対応する名称情報の、１つだけ後の順序の名称情報に対応するコンテンツ（ここでは、名称情報が「○○○第２話  下」であるコンテンツ）が、再生対象のコンテンツとして選定され、再生実行部１７８によって再生される。
【００５８】
また、名称情報が「○○○第２話  中」であるコンテンツを再生中に、第２位置判定部１７５によって先頭ページであると判定され、且つ、第２操作判定部１７６によって前ページ再生指示であると判定された場合には、第２選定部１７７によって、リスト記憶部１８２に格納されたリストにおいて再生中のコンテンツ（ここでは、名称情報が「○○○第２話  中」であるコンテンツ）に対応する名称情報の、１つだけ前の順序の名称情報に対応するコンテンツ（ここでは、名称情報が「○○○第２話  上」であるコンテンツ）が、再生対象のコンテンツとして選定され、再生実行部１７８によって再生される。
【００５９】
図５、図６は、携帯電話機１（主にＣＰＵ１７）の動作の一例を示すフローチャートである。なお、ここでは、便宜上、ソート実行部１７１によって、コンテンツ記憶部１８１に格納された複数のコンテンツに付与された名称情報が予め設定されたルール（＝名称情報の末尾に上、中、下を含むものは、この順に（＝上、中、下の順に）並び換え、名称情報の末尾に数字を含むものは、数字の小さい順に（＝１、２、３、・・・の順に）並び換える）に則って並び換えられ、並び換えられた結果がリストとしてリスト記憶部１８２に格納されている場合について説明する。
【００６０】
まず、第１操作判定部１７３によって、次ページ再生指示が受け付けられたか否かの判定が行われる（Ｓ１０１）。次ページ再生指示が受け付けられていないと判定された場合（Ｓ１０１でＮＯ）には、処理がステップＳ１０７に進められる。次ページ再生指示が受け付けられたと判定された場合（Ｓ１０１でＹＥＳ）には、第１位置判定部１７２によって、再生中のページが再生中のコンテンツの最終ページであるか否かが判定される（Ｓ１０３）。最終ページであると判定された場合（Ｓ１０３でＹＥＳ）には、処理がステップＳ１１３に進められる。最終ページではないと判定された場合（Ｓ１０３でＮＯ）には、再生実行部１７８によって、再生中のコンテンツの次のページが再生され（Ｓ１０５）、処理がステップＳ１０１に戻され、ステップＳ１０１以降の処理が繰り返し実行される。
【００６１】
ステップＳ１０１でＮＯの場合には、第１操作判定部１７３によって、次行再生指示が受け付けられたか否かの判定が行われる（Ｓ１０７）。次行再生指示が受け付けられていないと判定された場合（Ｓ１０７でＮＯ）には、処理が図６に示すステップＳ１１７に進められる。次行再生指示が受け付けられたと判定された場合（Ｓ１０７でＹＥＳ）には、第１位置判定部１７２によって、再生中の行が再生中のコンテンツの最終行であるか否かの判定が行われる（Ｓ１０９）。最終行であると判定された場合（Ｓ１０９でＹＥＳ）には、処理がステップＳ１１３に進められる。最終行ではないと判定された場合（Ｓ１０９でＮＯ）には、再生実行部１７８によって、再生中のコンテンツの次の行が再生され（Ｓ１１１）、処理がステップＳ１０１に戻され、ステップＳ１０１以降の処理が繰り返し実行される。
【００６２】
ステップＳ１０３でＹＥＳ、又は、ステップＳ１０９でＹＥＳの場合には、第１選定部１７４によって、リスト記憶部１８２に格納されたリストにおいて再生中のコンテンツに対応する名称情報の、１つだけ後の順序の名称情報に対応するコンテンツが、再生対象のコンテンツとして選定される（Ｓ１１３）。そして、再生実行部１７８によって、ステップＳ１１３において選定されたコンテンツがコンテンツ記憶部１８１から読み出しされて再生され（Ｓ１１５）、処理がステップＳ１０１に戻され、ステップＳ１０１以降の処理が繰り返し実行される。
【００６３】
ステップＳ１０７でＮＯの場合には、図６に示すように、第２操作判定部１７６によって、前ページ再生指示が受け付けられたか否かの判定が行われる（Ｓ１１７）。前ページ再生指示が受け付けられていないと判定された場合（Ｓ１０１でＮＯ）には、処理がステップＳ１２３に進められる。前ページ再生指示が受け付けられたと判定された場合（Ｓ１１７でＹＥＳ）には、第２位置判定部１７５によって、再生中のページが再生中のコンテンツの先頭ページであるか否かが判定される（Ｓ１１９）。先頭ページであると判定された場合（Ｓ１１９でＹＥＳ）には、処理がステップＳ１２９に進められる。先頭ページではないと判定された場合（Ｓ１１９でＮＯ）には、再生実行部１７８によって、再生中のコンテンツの前のページが再生され（Ｓ１２１）、処理が図５に示すステップＳ１０１に戻され、ステップＳ１０１以降の処理が繰り返し実行される。
【００６４】
ステップＳ１１７でＮＯの場合には、第２操作判定部１７６によって、前行再生指示が受け付けられたか否かの判定が行われる（Ｓ１２３）。前行再生指示が受け付けられていないと判定された場合（Ｓ１２３でＮＯ）には、処理が図５に示すステップＳ１０１に戻され、ステップＳ１０１以降の処理が繰り返し実行される。前行再生指示が受け付けられたと判定された場合（Ｓ１２３でＹＥＳ）には、第２位置判定部１７５によって、再生中の行が再生中のコンテンツの先頭行であるか否かの判定が行われる（Ｓ１２５）。先頭行であると判定された場合（Ｓ１２５でＹＥＳ）には、処理がステップＳ１２９に進められる。先頭行ではないと判定された場合（Ｓ１２５でＮＯ）には、再生実行部１７８によって、再生中のコンテンツの前の行が再生され（Ｓ１２７）、処理が図５に示すステップＳ１０１に戻され、ステップＳ１０１以降の処理が繰り返し実行される。
【００６５】
ステップＳ１１９でＹＥＳ、又は、ステップＳ１２５でＹＥＳの場合には、第２選定部１７７によって、リスト記憶部１８２に格納されたリストにおいて再生中のコンテンツに対応する名称情報の、１つだけ前の順序の名称情報に対応するコンテンツが、再生対象のコンテンツとして選定される（Ｓ１２９）。そして、再生実行部１７８によって、ステップＳ１２９において選定されたコンテンツがコンテンツ記憶部１８１から読み出しされて再生され（Ｓ１３１）、処理が図５に示すステップＳ１０１に戻され、ステップＳ１０１以降の処理が繰り返し実行される。
【００６６】
このようにして、複数のコンテンツが予めコンテンツ記憶部１８１に格納されており、複数のコンテンツにそれぞれ付与された名称情報が、順序を示す順序識別情報と対応付けたリストとしてリスト記憶部１８２に格納される。そして、複数のコンテンツに付与された名称情報が予め設定されたルールに則って並び換えられ、並び換えられた結果がリストとしてリスト記憶部１８２に格納される。また、再生中のページが再生中のコンテンツの最終ページであるか否かが判定され、入力部１２を介して、ユーザからの操作入力が受け付けられて、受け付けられた操作入力が次のページを再生する旨の操作入力である次ページ再生指示（ここでは、図１に示す次ページキー１２１の押下に対応する操作入力）であるか否かが判定される。そして、最終ページであると判定され、且つ、次ページ再生指示であると判定された場合に、リスト記憶部１８２に格納されたリストにおいて再生中のコンテンツに対応する名称情報の、１つだけ後の順序の名称情報に対応するコンテンツが、再生対象のコンテンツとして選定され、選定されたコンテンツがコンテンツ記憶部１８１から読み出されて再生されるため、複数のコンテンツに分割されたものを利便性良好に再生することができる。
【００６７】
すなわち、複数のコンテンツに分割されたものは、例えば、コンテンツに付与された名称情報の末尾に上、中、下、又は、数字が付加されているため、この順に並び換えてリスト記憶部１８２に格納することによって（図４参照）、再生中のページが再生中のコンテンツの最終ページであると判定され、且つ、受け付けられた操作入力が次ページ再生指示であると判定された場合に、リスト記憶部１８２に格納されたリストにおいて再生中のコンテンツに対応する名称情報の、１つだけ後の順序の名称情報に対応するコンテンツは、ユーザが次に再生を所望するコンテンツに相当するのである。従って、このコンテンツが再生対象のコンテンツとして選定され、選定されたコンテンツがコンテンツ記憶部１８１から読み出されて再生されるため、複数のコンテンツに分割されたものを利便性良好に再生することができるのである。
【００６８】
また、名称情報の末尾に上、中、下を含むものが、この順に並び換えられ、名称情報の末尾に数字を含むものが、数字の小さい順に並び換えられる（図４参照）ため、複数のコンテンツに分割されたものを更に利便性良好に再生することができる。
【００６９】
すなわち、複数のコンテンツに分割されたものは、コンテンツに付与された名称情報の末尾に上、中、下、又は、数字が付加されているため、この順に並び換えてリスト記憶部１８２に格納することによって、再生中のページが再生中のコンテンツの最終ページであると判定され、且つ、受け付けられた操作入力が次ページ再生指示（ここでは、図１に示す次ページキー１２１の押下に対応する操作入力）であると判定された場合に、リスト記憶部１８２に格納されたリストにおいて再生中のコンテンツに対応する名称情報の、１つだけ後の順序の名称情報に対応するコンテンツは、ユーザが次に再生を所望するコンテンツに相当するのである。
【００７０】
更に、再生中のページが再生中のコンテンツの最終ページであると判定され、且つ、受け付けられた操作入力が次ページ再生指示であると判定された場合に、選定されたコンテンツの先頭ページがディスプレイ１１に表示されるため、複数のコンテンツに分割されたものを更に利便性良好に再生することができる。
【００７１】
すなわち、再生中のページが再生中のコンテンツの最終ページであると判定され、且つ、受け付けられた操作入力が次ページ再生指示であると判定された場合に、ユーザが次に再生を所望するコンテンツの先頭ページがディスプレイ１１に表示されるため、複数のコンテンツに分割されたものを更に利便性良好に再生することができるのである。
【００７２】
加えて、再生中の行が再生中のコンテンツの最終行であるか否かが判定され、入力部１２を介して、ユーザからの操作入力が受け付けられて、受け付けられた操作入力が次の行を再生する旨の操作入力である次行再生指示（ここでは、図１に示す方向指示キー１２３の下方向指示キーの押下に対応する操作入力）であるか否かが判定される。そして、最終行であると判定され、且つ、次ページ再生指示（ここでは、図１に示す次ページキー１２１の押下に対応する操作入力）又は次行再生指示であると判定された場合に、リスト記憶部１８２に格納されたリストにおいて再生中のコンテンツに対応する名称情報の、１つだけ後の順序の名称情報に対応するコンテンツが、再生対象のコンテンツとして選定され、再生されるため、複数のコンテンツに分割されたものを更に利便性良好に再生することができる。
【００７３】
すなわち、複数のコンテンツに分割されたものは、例えば、コンテンツに付与された名称情報の末尾に上、中、下、又は、数字が付加されているため、この順に並び換えてリスト記憶手段に格納することによって（図４参照）、再生中の行が再生中のコンテンツの最終行であると判定され、且つ、受け付けられた操作入力が次のページを再生する旨の操作入力である次ページ再生指示（ここでは、図１に示す次ページキー１２１の押下に対応する操作入力）又は次の行を再生する旨の操作入力である次行再生指示（ここでは、図１に示す方向指示キー１２３の下方向指示キーの押下に対応する操作入力）であると判定された場合に、リスト記憶部１８２に格納されたリストにおいて再生中のコンテンツに対応する名称情報の、１つだけ後の順序の名称情報に対応するコンテンツは、ユーザが次に再生を所望するコンテンツに相当するのである。従って、このコンテンツが再生対象のコンテンツとして選定され、選定されたコンテンツがコンテンツ記憶部１８１から読み出されて再生されるため、複数のコンテンツに分割されたものを更に利便性良好に再生することができるのである。
【００７４】
また、再生中のページが再生中のコンテンツの先頭ページであるか否かが判定され、外部からの操作入力が受け付けられて、受け付けられた操作入力が前のページを再生する旨の操作入力である前ページ再生指示（ここでは、図１に示す前ページキー１２２の押下に対応する操作入力）であるか否かが判定される。そして、先頭ページであると判定され、且つ、前ページ再生指示であると判定された場合に、リスト記憶部１８２に格納されたリストにおいて再生中のコンテンツに対応する名称情報の、１つだけ前の順序の名称情報に対応するコンテンツが、再生対象のコンテンツとして選定され、選定されたコンテンツがコンテンツ記憶部１８１から読み出されて再生されるため、複数のコンテンツに分割されたものを更に利便性良好に再生することができる。
【００７５】
すなわち、複数のコンテンツに分割されたものは、例えば、コンテンツに付与された名称情報の末尾に上、中、下、又は、数字が付加されているため、この順に並び換えてリスト記憶手段に格納することによって（図４参照）、再生中のページが再生中のコンテンツの先頭ページであると判定され、且つ、受け付けられた操作入力が前ページ再生指示（ここでは、図１に示す前ページキー１２２の押下に対応する操作入力）であると判定された場合に、リスト記憶部１８２に格納されたリストにおいて再生中のコンテンツに対応する名称情報の、１つだけ前の順序の名称情報に対応するコンテンツは、ユーザが次に再生を所望するコンテンツに相当するのである。従って、このコンテンツが再生対象のコンテンツとして選定され、選定されたコンテンツがコンテンツ記憶部１８１から読み出されて再生されるため、複数のコンテンツに分割されたものを更に利便性良好に再生することができるのである。
【００７６】
更に、再生中のページが再生中のコンテンツの先頭ページであると判定され、且つ、受け付けられた操作入力が前ページ再生指示であると判定された場合に、選定されたコンテンツの最終ページがディスプレイ１１に表示されるため、複数のコンテンツに分割されたものを更に利便性良好に再生することができる。
【００７７】
すなわち、再生中のページが再生中のコンテンツの先頭ページであると判定され、且つ、受け付けられた操作入力が前ページ再生指示であると判定された場合に、ユーザが次に再生を所望するコンテンツの最終ページがディスプレイ１１に表示されるため、複数のコンテンツに分割されたものを更に利便性良好に再生することができるのである。
【００７８】
加えて、再生中の行が再生中のコンテンツの先頭行であるか否かが判定され、入力部１２を介して、ユーザからの操作入力が受け付けられて、受け付けられた操作入力が前の行を再生する旨の操作入力である前行再生指示（ここでは、図１に示す方向指示キー１２３の上方向指示キーの押下に対応する操作入力）であるか否かが判定される。そして、先頭行であると判定され、且つ、前ページ再生指示（ここでは、図１に示す前ページキー１２２の押下に対応する操作入力）又は前行再生指示であると判定された場合に、リスト記憶部１８２に格納されたリストにおいて再生中のコンテンツに対応する名称情報の、１つだけ前の順序の名称情報に対応するコンテンツが、再生対象のコンテンツとして選定され、再生されるため、複数のコンテンツに分割されたものを更に利便性良好に再生することができる。
【００７９】
すなわち、複数のコンテンツに分割されたものは、例えば、コンテンツに付与された名称情報の末尾に上、中、下、又は、数字が付加されているため、この順に並び換えてリスト記憶手段に格納することによって（図４参照）、再生中の行が再生中のコンテンツの先頭行であると判定され、且つ、受け付けられた操作入力が前のページを再生する旨の操作入力である前ページ再生指示（ここでは、図１に示す前ページキー１２２の押下に対応する操作入力）又は前の行を再生する旨の操作入力である前行再生指示（ここでは、図１に示す方向指示キー１２３の上方向指示キーの押下に対応する操作入力）であると判定された場合に、リスト記憶部１８２に格納されたリストにおいて再生中のコンテンツに対応する名称情報の、１つだけ前の順序の名称情報に対応するコンテンツは、ユーザが次に再生を所望するコンテンツに相当するのである。従って、このコンテンツが再生対象のコンテンツとして選定され、選定されたコンテンツがコンテンツ記憶部１８１から読み出されて再生されるため、複数のコンテンツに分割されたものを更に利便性良好に再生することができるのである。
【００８０】
なお、本発明は、以下の形態にも適用可能である。
（Ａ）本実施形態では、電子書籍再生装置が、携帯電話機１である場合について説明したが、電子書籍再生装置が、文字情報及び画像情報の少なくとも一方を含み複数のページからなる複数のコンテンツの中から選択された１のコンテンツを再生し、外部から視認可能にモニタに表示する装置であればよく、例えば、ノート型パーソナルコンピュータ、ＰＤＡ等である形態でもよい。
【００８１】
（Ｂ）本実施形態では、携帯電話機１のＣＰＵ１７が、機能的に、ソート実行部１７１、第１位置判定部１７２、第１操作判定部１７３、第１選定部１７４、第２位置判定部１７５、第２操作判定部１７６、第２選定部１７７、再生実行部１７８等を備える場合について説明したが、ソート実行部１７１、第１位置判定部１７２、第１操作判定部１７３、第１選定部１７４、第２位置判定部１７５、第２操作判定部１７６、第２選定部１７７、及び、再生実行部１７８の内、少なくとも１の機能部が、回路等のハードウェアによって構成されている形態でもよい。
【００８２】
（Ｃ）本実施形態では、ソート実行部１７１が、名称情報の末尾に上、中、下を含むものは、この順に（＝上、中、下の順に）並び換え、名称情報の末尾に数字を含むものは、数字の小さい順に（＝１、２、３、・・・の順に）並び換える場合について説明したが、その他のルールに則って並び換える形態でもよい。例えば、ソート実行部１７１が、名称情報の末尾に括弧付きの数字、又は、丸付きの数字を含むものを、数字の小さい順に（＝１、２、３、・・・の順に）並び換える形態でもよいし、ソート実行部１７１が、名称情報の末尾に括弧付きのアルファベット、又は、丸付きのアルファベットを含むものを、アルファベットの順に並び換える形態でもよい。
【図面の簡単な説明】
【００８３】
【図１】は、本発明に係る携帯電話機の外観の一例を示す外観図である。
【図２】は、携帯電話機の電気的構成の一例を示す構成図である。
【図３】は、携帯電話機における主要部（ＣＰＵ等）の機能構成の一例を示す構成図である。
【図４】は、携帯電話機の処理の概要を示す動作説明図である。
【図５】は、携帯電話機（主にＣＰＵ）の動作の一例を示すフローチャート（前半部）である。
【図６】は、携帯電話機（主にＣＰＵ）の動作の一例を示すフローチャート（後半部）である。
【符号の説明】
【００８４】
１    携帯電話機（電子書籍再生装置）
１１    ディスプレイ（モニタ）
１２    入力部（再生実行手段の一部）
１２１    次ページキー（第１操作判定手段の一部）
１２２    前ページキー（第２操作判定手段の一部）
１２３    方向指示キー（第１操作判定手段の一部、第２操作判定手段の一部）
１７    ＣＰＵ
１７１    ソート実行部（ソート実行手段）
１７２    第１位置判定部（第１位置判定手段）
１７３    第１操作判定部（第１操作判定手段の一部）
１７４    第１選定部（第１選定手段）
１７５    第２位置判定部（第２位置判定手段）
１７６    第２操作判定部（第２操作判定手段の一部）
１７７    第２選定部（第２選定手段）
１７８    再生実行部（再生実行手段の一部）
１８    ＲＡＭ
１８１    コンテンツ記憶部（コンテンツ記憶手段）
１８２    リスト記憶部（リスト記憶手段）
１９    ＲＯＭ
【図１】
2008257609.tif 000003
【図２】
2008257609.tif 000004
【図３】
2008257609.tif 000005
【図４】
2008257609.tif 000006
【図５】
2008257609.tif 000007
【図６】
2008257609.tif 000008